(57)【特許請求の範囲】
【請求項１】
他のデータ制御装置と相互に連携して情報処理を行うデータ制御装置が備える電源制御装置であって、
商用電源が停止した後、前記商用電源が復電した場合、自電源制御装置を備えるデータ制御装置に設けられ前記商用電源から電力が供給される第１直流電源への電力の供給状態と、自電源制御装置を備えるデータ制御装置に設けられ無停電電源装置から電力が供給される第２直流電源への電力の供給状態と、前記他のデータ制御装置に設けられ前記商用電源から電力が供給される第３直流電源への電力の供給状態と、前記他のデータ制御装置に設けられ前記無停電電源装置から電力が供給される第４直流電源への電力の供給状態と、に基づいて、前記第１直流電源をオン状態またはオフ状態にし、第２直流電源をオン状態またはオフ状態にする電源制御部、
を備える電源制御装置。
【請求項２】
前記第１直流電源への電力の供給状態と、前記第２直流電源への電力の供給状態と、前記第３直流電源への電力の供給状態と、前記第４直流電源への電力の供給状態と、を示すＡＣステータス情報を記憶する記憶部、
を備え、
前記電源制御部は、
前記記憶部が記憶する前記ＡＣステータス情報に基づいて、前記第１直流電源をオン状態またはオフ状態にし、第２直流電源をオン状態またはオフ状態にする、
請求項１に記載の電源制御装置。
【請求項３】
前記記憶部が記憶する前記ＡＣステータス情報を書き替えるステータス情報管理部、
を備える請求項２に記載の電源制御装置。
【請求項４】
電源制御部は、
前記第１直流電源への電力の供給状態と、前記第２直流電源への電力の供給状態と、前記第３直流電源への電力の供給状態と、前記第４直流電源への電力の供給状態の４つの電力の供給状態のうち２つまたは３つが電力が供給されていることを示し、かつ、前記第２直流電源への電力の供給状態と前記第３直流電源への電力の供給状態とが電力が供給されていることを示し、かつ、前記第１直流電源への電力の供給状態が電力が供給されていないことを示す場合、前記第１直流電源をオフ状態にし、前記第２直流電源をオン状態にする、
請求項１から請求項３の何れか一項に記載の電源制御装置。
【請求項５】
電源制御部は、
前記第１直流電源への電力の供給状態と、前記第２直流電源への電力の供給状態と、前記第３直流電源への電力の供給状態と、前記第４直流電源への電力の供給状態の４つの電力の供給状態のうち１つのみが電力が供給されていることを示す場合、前記第１直流電源をオフ状態にし、前記第２直流電源をオフ状態にする、
請求項１から請求項４の何れか一項に記載の電源制御装置。
【請求項６】
電源制御部は、
前記第１直流電源への電力の供給状態と、前記第２直流電源への電力の供給状態と、前記第３直流電源への電力の供給状態と、前記第４直流電源への電力の供給状態の４つの電力の供給状態のうち２つまたは３つが電力が供給されていることを示し、かつ、前記第１直流電源への電力の供給状態と前記第２直流電源への電力の供給状態とが電力が供給されていることを示す場合、前記第１直流電源をオン状態にし、前記第２直流電源をオン状態にする、
請求項１から請求項５の何れか一項に記載の電源制御装置。
【請求項７】
電源制御部は、
前記第１直流電源への電力の供給状態と、前記第２直流電源への電力の供給状態と、前記第３直流電源への電力の供給状態と、前記第４直流電源への電力の供給状態の４つの電力の供給状態のすべてが電力が供給されていることを示す場合、前記第１直流電源をオン状態にし、前記第２直流電源をオン状態にする、
請求項１から請求項６の何れか一項に記載の電源制御装置。
【請求項８】
請求項１から請求項７の何れかの電源制御装置と、
商用電源から電力が供給される第１直流電源と、
無停電電源装置から電力が供給される第２直流電源と、
を備えるデータ制御装置。
【請求項９】
他のデータ制御装置と相互に連携して情報処理を行うデータ制御装置が備える電源制御装置の電源制御方法であって、
商用電源が停止した後、前記商用電源が復電した場合、自電源制御装置を備えるデータ制御装置に設けられ前記商用電源から電力が供給される第１直流電源への電力の供給状態と、自電源制御装置を備えるデータ制御装置に設けられ無停電電源装置から電力が供給される第２直流電源への電力の供給状態と、前記他のデータ制御装置に設けられ前記商用電源から電力が供給される第３直流電源への電力の供給状態と、前記他のデータ制御装置に設けられ前記無停電電源装置から電力が供給される第４直流電源への電力の供給状態と、に基づいて、前記第１直流電源をオン状態またはオフ状態にし、第２直流電源をオン状態またはオフ状態にすること、
を含む電源制御装置の電源制御方法。
【請求項１０】
他のデータ制御装置と相互に連携して情報処理を行うデータ制御装置が備える電源制御装置のコンピュータに、
商用電源が停止した後、前記商用電源が復電した場合、自電源制御装置を備えるデータ制御装置に設けられ前記商用電源から電力が供給される第１直流電源への電力の供給状態と、自電源制御装置を備えるデータ制御装置に設けられ無停電電源装置から電力が供給される第２直流電源への電力の供給状態と、前記他のデータ制御装置に設けられ前記商用電源から電力が供給される第３直流電源への電力の供給状態と、前記他のデータ制御装置に設けられ前記無停電電源装置から電力が供給される第４直流電源への電力の供給状態と、に基づいて、前記第１直流電源をオン状態またはオフ状態にし、第２直流電源をオン状態またはオフ状態にすること、
を実行させるプログラム。
【発明の詳細な説明】
【技術分野】
【０００１】
本発明は、電源制御装置、データ制御装置、電源制御装置の電源制御方法及びプログラムに関する。
【背景技術】
【０００２】
一方が商用電源に接続され、もう一方がＵＰＳ（Ｕｎｉｎｔｅｒｒｕｐｔｉｂｌｅ  Ｐｏｗｅｒ  Ｓｕｐｐｌｙ）に接続された冗長の直流電源を備える装置がある。
特許文献１〜３には、電源を制御する技術が記載されている。
【先行技術文献】
【特許文献】
【０００３】
【特許文献１】特開平０６−１１３４８３号公報
【特許文献２】特開平０９−３２２４３３号公報
【特許文献３】特開２０１３−１７２６３１号公報
【発明の概要】
【発明が解決しようとする課題】
【０００４】
ところで、他のデータ制御装置と相互に連携して情報処理を行うデータ制御装置は、商用電源から電力が供給される直流電源と無停電電源装置から電力が供給される直流電源とによる冗長性に加え、他のデータ制御装置による情報処理の冗長性が期待できる。しかしながら、他のデータ制御装置と相互に連携して情報処理を行うデータ制御装置における直流電源のオン・オフの制御を自データ制御装置の直流電源における電力の供給状態のみに基づいて行った場合、他のデータ制御装置との連携による情報処理の冗長性を無視することとなり、連携による情報処理の冗長性が失われる可能性がある。
冗長性が失われた場合、データ制御装置による情報処理の制御が停止し、制御対象であるディスクアレイ装置などの記憶装置におけるデータの書き込みや読み出しが突然停止することとなり、最悪の場合、記憶装置が記憶するデータが失われ、データを復元することもできなくなってしまう。
そのため、他のデータ制御装置と相互に連携して情報処理を行うデータ制御装置において、情報処理の制御をより確実に実行することのできる技術が求められていた。
【０００５】
本発明は、上記の課題を解決することのできる電源制御装置、データ制御装置、電源制御装置の電源制御方法及びプログラムを提供することを目的としている。
【課題を解決するための手段】
【０００６】
上記目的を達成するために、本発明は、他のデータ制御装置と相互に連携して情報処理を行うデータ制御装置が備える電源制御装置であって、商用電源が停止した後、前記商用電源が復電した場合、自電源制御装置を備えるデータ制御装置に設けられ前記商用電源から電力が供給される第１直流電源への電力の供給状態と、自電源制御装置を備えるデータ制御装置に設けられ無停電電源装置から電力が供給される第２直流電源への電力の供給状態と、前記他のデータ制御装置に設けられ前記商用電源から電力が供給される第３直流電源への電力の供給状態と、前記他のデータ制御装置に設けられ前記無停電電源装置から電力が供給される第４直流電源への電力の供給状態と、に基づいて、前記第１直流電源をオン状態またはオフ状態にし、第２直流電源をオン状態またはオフ状態にする電源制御部、を備える電源制御装置である。
【０００７】
また、本発明は、上記の電源制御装置と、商用電源から電力が供給される第１直流電源と、無停電電源装置から電力が供給される第２直流電源と、を備えるデータ制御装置である。
【０００８】
また、本発明は、他のデータ制御装置と相互に連携して情報処理を行うデータ制御装置が備える電源制御装置の電源制御方法であって、商用電源が停止した後、前記商用電源が復電した場合、自電源制御装置を備えるデータ制御装置に設けられ前記商用電源から電力が供給される第１直流電源への電力の供給状態と、自電源制御装置を備えるデータ制御装置に設けられ無停電電源装置から電力が供給される第２直流電源への電力の供給状態と、前記他のデータ制御装置に設けられ前記商用電源から電力が供給される第３直流電源への電力の供給状態と、前記他のデータ制御装置に設けられ前記無停電電源装置から電力が供給される第４直流電源への電力の供給状態と、に基づいて、前記第１直流電源をオン状態またはオフ状態にし、第２直流電源をオン状態またはオフ状態にすること、を含む電源制御装置の電源制御方法である。
【０００９】
また、本発明は、他のデータ制御装置と相互に連携して情報処理を行うデータ制御装置が備える電源制御装置のコンピュータに、商用電源が停止した後、前記商用電源が復電した場合、自電源制御装置を備えるデータ制御装置に設けられ前記商用電源から電力が供給される第１直流電源への電力の供給状態と、自電源制御装置を備えるデータ制御装置に設けられ無停電電源装置から電力が供給される第２直流電源への電力の供給状態と、前記他のデータ制御装置に設けられ前記商用電源から電力が供給される第３直流電源への電力の供給状態と、前記他のデータ制御装置に設けられ前記無停電電源装置から電力が供給される第４直流電源への電力の供給状態と、に基づいて、前記第１直流電源をオン状態またはオフ状態にし、第２直流電源をオン状態またはオフ状態にすること、を実行させるプログラムである。
【発明の効果】
【００１０】
本発明によれば、他のデータ制御装置と相互に連携して情報処理を行うデータ制御装置において、情報処理の制御をより確実に実行することで安全な運用ができる。
【図面の簡単な説明】
【００１１】
【図１】本発明の第一の実施形態による電源制御装置の最小構成を示す図である。
【図２】本発明の第二の実施形態による情報処理システムの構成を示す図である。
【図３】本発明の第二の実施形態による第１電源制御装置の構成を示す図である。
【図４】本発明の第二の実施形態による第２電源制御装置の構成を示す図である。
【図５】本発明の第二の実施形態による第１電源制御装置の第１処理フローを示す図である。
【図６】本発明の第二の実施形態による第１電源制御装置の第２処理フローを示す図である。
【発明を実施するための形態】
【００１２】
＜第一の実施形態＞
本発明の第一の実施形態による電源制御装置について説明する。
本発明の第一の実施形態による電源制御装置は、本発明の最小構成の電源制御装置である。
本発明の第一の実施形態による電源制御装置は、他のデータ制御装置と相互に連携して情報処理を行うデータ制御装置に備えられる。
本発明の第一の実施形態による電源制御装置１０１は、図１に示すように、少なくとも、電源制御部１０１２と、を備える。
【００１３】
電源制御部１０１２は、商用電源が停止した後、商用電源が復電した場合、電源制御装置１０１を備えるデータ制御装置に設けられ商用電源から電力が供給される第１直流電源への電力の供給状況と、電源制御装置１０１を備えるデータ制御装置に設けられ第１無停電電源装置から電力が供給される第２直流電源への電力の供給状況と、他のデータ制御装置に設けられ商用電源から電力が供給される第３直流電源への電力の供給状況と、他のデータ制御装置に設けられ第１無停電電源装置から電力が供給される第４直流電源への電力の供給状況と、商用電源が停止したときの第１電源、第２電源、第３電源、第４電源のそれぞれの状態を示すステータス情報と、に基づいて、第１直流電源をオン状態またはオフ状態にし、第２直流電源をオン状態またはオフ状態にする。
【００１４】
このようにすれば、電源制御装置１０１は、他のデータ制御装置と相互に連携して情報処理を行うデータ制御装置において、情報処理の制御をより確実に実行することで安全な運用ができる。
【００１５】
＜第二の実施形態＞
本発明の第二の実施形態による情報処理システムについて説明する。
本発明の第二の実施形態による情報処理システム１は、図２に示すように、データ制御装置１０ａと、データ制御装置１０ｂと、ディスクアレイ装置２０と、第１ＵＰＳ（Ｕｎｉｎｔｅｒｒｕｐｔｉｂｌｅ  Ｐｏｗｅｒ  Ｓｕｐｐｌｙ）３０ａと、第２ＵＰＳ３０ｂと、を備える。図２には、情報処理システム１と共に商用電源４０が示されている。
なお、データ制御装置１０ａとデータ制御装置１０ｂは、ＬＡＮ（Ｌｏｃａｌ  Ａｒｅａ  Ｎｅｔｗｏｒｋ）ケーブルで接続されている。データ制御装置１０ａとデータ制御装置１０ｂは、例えば、サーバである。
また、データ制御装置１０ａとディスクアレイ装置２０、データ制御装置１０ｂとディスクアレイ装置２０のそれぞれは、ＦＣ（Ｆｉｂｒｅ  Ｃｈａｎｎｅｌ）ケーブルで接続されている。
また、データ制御装置１０ａとデータ制御装置１０ｂは、クラスタを構成しており、相互に連携して情報処理を行う。
【００１６】
商用電源４０は、交流電圧を出力する。
第１ＵＰＳ３０ａ（無停電電源装置）、第２ＵＰＳ３０ｂのそれぞれは、商用電源４０が出力する交流電圧を利用して、電力を蓄積する。第１ＵＰＳ３０ａ、第２ＵＰＳ３０ｂのそれぞれは、蓄積した電力を用いて交流電圧を出力する。
【００１７】
データ制御装置１０ａは、第１電源制御装置１０１ａと、直流電源１０２ａ（第１直流電源）と、直流電源１０３ａ（第２直流電源）と、コントローラ１０４ａと、を備える。
【００１８】
直流電源１０２ａは、商用電源４０が出力する交流電圧を受け、後述するコントローラ１０４ａに直流電圧を供給する。
また、直流電源１０２ａは、商用電源４０から交流電圧を受けなくなると、電圧を出力しなくなる。その結果、コントローラ１０４ａへの直流電圧の供給が停止する。
【００１９】
直流電源１０３ａは、第１ＵＰＳ３０ａが出力する交流電圧を受け、コントローラ１０４ａに直流電圧を供給する。
また、直流電源１０３ａは、第１ＵＰＳ３０ａから交流電圧を受けなくなると、電圧を出力しなくなる。その結果、コントローラ１０４ａへの直流電圧の供給が停止する。
なお、直流電源１０２ａと直流電源１０３ａは、冗長の電源を構成している。
【００２０】
コントローラ１０４ａは、ディスクアレイ装置２０に対してデータの書き込みを指示する。
【００２１】
第１電源制御装置１０１ａは、図３に示すように、ステータス情報管理部１０１１ａと、電源制御部１０１２ａと、通信部１０１３ａと、記憶部１０１４ａと、を備える。
第１電源制御装置１０１ａは、第１ＵＰＳ３０ａが出力する交流電圧を直流電圧に変換する直流電源１０６ａ、または、商用電源４０が出力する交流電圧を直流電圧に変換する直流電源１０５ａから直流電圧を受け、動作する。
【００２２】
ステータス情報管理部１０１１ａは、直流電源１０２ａ、直流電源１０３ａ、直流電源１０２ｂ（第３直流電源）、直流電源１０３ｂ（第４直流電源）のそれぞれがオン状態であるかオフ状態であるかを示すＤＣステータス情報を管理する。
具体的には、ステータス情報管理部１０１１ａは、直流電源１０２ａが所定のしきい値以上の電圧を出力しているか否かを判定する。ステータス情報管理部１０１１ａは、直流電源１０２ａが所定のしきい値以上の電圧を出力していると判定した場合、オン状態であることを示すＤＣステータス情報を記憶部１０１４ａに書き込む。また、ステータス情報管理部１０１１ａは、直流電源１０２ａが所定のしきい値以上の電圧を出力していないと判定した場合、オフ状態であることを示すＤＣステータス情報を記憶部１０１４ａに書き込む。同様に、ステータス情報管理部１０１１ａは、直流電源１０３ａが所定のしきい値以上の電圧を出力しているか否かを判定する。ステータス情報管理部１０１１ａは、直流電源１０３ａが所定のしきい値以上の電圧を出力していると判定した場合、オン状態であることを示すＤＣステータス情報を記憶部１０１４ａに書き込む。また、ステータス情報管理部１０１１ａは、直流電源１０３ａが所定のしきい値以上の電圧を出力していないと判定した場合、オフ状態であることを示すＤＣステータス情報を記憶部１０１４ａに書き込む。また、ステータス情報管理部１０１１ａは、後述するステータス情報管理部１０１１ｂから直流電源１０２ｂ、直流電源１０３ｂのそれぞれのＤＣステータス情報を取得する。ステータス情報管理部１０１１ａは、取得した直流電源１０２ｂ、直流電源１０３ｂのそれぞれのＤＣステータス情報を記憶部１０１４ａに書き込む。なお、ステータス情報管理部１０１１ａは、所定の時間間隔でＤＣステータス情報を取得し、記憶部１０１４ａに書き込む。
【００２３】
また、ステータス情報管理部１０１１ａは、直流電源１０２ａ、直流電源１０３ａ、直流電源１０２ｂ、直流電源１０３ｂのそれぞれに電力が供給されている供給状態であるか電力が供給されていない未供給状態であるかを示すＡＣステータス情報を管理する。
具体的には、ステータス情報管理部１０１１ａは、直流電源１０２ａの電力を受ける端子において所定のしきい値以上の電力を検出しているか否かを判定する。ステータス情報管理部１０１１ａは、直流電源１０２ａの電力を受ける端子において所定のしきい値以上の電力を検出していると判定した場合、供給状態であることを示すＡＣステータス情報を記憶部１０１４ａに書き込む。また、ステータス情報管理部１０１１ａは、直流電源１０２ａの電力を受ける端子において所定のしきい値未満の電力を検出していると判定した場合、未供給状態であることを示すＡＣステータス情報を記憶部１０１４ａに書き込む。同様に、ステータス情報管理部１０１１ａは、直流電源１０３ａの電力を受ける端子において所定のしきい値以上の電力を検出していると判定した場合、供給状態であることを示すＡＣステータス情報を記憶部１０１４ａに書き込む。また、ステータス情報管理部１０１１ａは、直流電源１０３ａの電力を受ける端子において所定のしきい値未満の電力を検出していると判定した場合、未供給状態であることを示すＡＣステータス情報を記憶部１０１４ａに書き込む。また、ステータス情報管理部１０１１ａは、ステータス情報管理部１０１１ｂから直流電源１０２ｂ、直流電源１０３ｂのそれぞれのＡＣステータス情報を取得する。ステータス情報管理部１０１１ａは、取得した直流電源１０２ｂ、直流電源１０３ｂのそれぞれのＡＣステータス情報を記憶部１０１４ａに書き込む。なお、ステータス情報管理部１０１１ａは、所定の時間間隔でＡＣステータス情報を取得し、記憶部１０１４ａに書き込む。
【００２４】
電源制御部１０１２ａは、商用電源４０が停止した後、商用電源４０が復電した場合、データ制御装置１０ａに設けられ商用電源４０から電力が供給される直流電源１０２ａへの電力の供給状況を取得する。電源制御部１０１２ａは、商用電源４０が停止した後、商用電源４０が復電した場合、データ制御装置１０ａに設けられ第１ＵＰＳ３０ａから電力が供給される直流電源１０３ａへの電力の供給状況を取得する。電源制御部１０１２ａは、商用電源４０が停止した後、商用電源４０が復電した場合、連携先のデータ制御装置１０ｂに設けられ商用電源４０から電力が供給される直流電源１０２ｂへの電力の供給状況を後述する電源制御部１０１２ｂから取得する。電源制御部１０１２ａは、商用電源４０が停止した後、商用電源４０が復電した場合、連携先のデータ制御装置１０ｂに設けられ第１ＵＰＳ３０ａから電力が供給される直流電源１０３ｂへの電力の供給状況を電源制御部１０１２ｂから取得する。
電源制御部１０１２ａは、取得した直流電源１０２ａ、直流電源１０３ａ、直流電源１０２ｂ、直流電源１０３ｂのそれぞれへの電力の供給状況に基づいて、直流電源１０２ａをオン状態またはオフ状態にし、直流電源１０３ａをオン状態またはオフ状態にする。
具体的には、電源制御部１０１２ａは、所定の時間間隔で記憶部１０１４ａから直流電源１０２ａ、直流電源１０３ａ、直流電源１０２ｂ、直流電源１０３ｂのそれぞれについてのＤＣステータス情報を読み出す。電源制御部１０１２ａは、読み出した直流電源１０２ａ、直流電源１０３ａ、直流電源１０２ｂ、直流電源１０３ｂのそれぞれについてのＤＣステータス情報に基づいて、直流電源１０２ａをオン状態またはオフ状態にし、直流電源１０３ａをオン状態またはオフ状態にする。
【００２５】
通信部１０１３ａは、データ制御装置１０ｂと通信を行う。
記憶部１０１４ａは、第１電源制御装置１０１ａが行う処理に必要な種々の情報を記憶する。
【００２６】
データ制御装置１０ｂは、直流電源１０２ｂと、直流電源１０３ｂと、コントローラ１０４ｂと、を備える。
【００２７】
直流電源１０２ｂは、商用電源４０が出力する交流電圧を受け、後述するコントローラ１０４ｂに直流電圧を供給する。
また、直流電源１０２ｂは、商用電源４０から交流電圧を受けなくなると、電圧を出力しなくなる。その結果、コントローラ１０４ｂへの直流電圧の供給が停止する。
【００２８】
直流電源１０３ｂは、第１ＵＰＳ３０ａが出力する交流電圧を受け、コントローラ１０４ｂに直流電圧を供給する。
また、直流電源１０３ｂは、第１ＵＰＳ３０ａから交流電圧を受けなくなると、電圧を出力しなくなる。その結果、コントローラ１０４ｂへの直流電圧の供給が停止する。
なお、直流電源１０２ｂと直流電源１０３ｂは、冗長の電源を構成している。
【００２９】
コントローラ１０４ｂは、ディスクアレイ装置２０に対してデータの書き込みを指示する。
【００３０】
第２電源制御装置１０１ｂは、図４に示すように、ステータス情報管理部１０１１ｂと、電源制御部１０１２ｂと、通信部１０１３ｂと、記憶部１０１４ｂと、を備える。
第２電源制御装置１０１ｂは、第１ＵＰＳ３０ａが出力する交流電圧を直流電圧に変換する直流電源１０６ｂ、または、商用電源４０が出力する交流電圧を直流電圧に変換する直流電源１０５ｂから直流電圧を受け、動作する。
【００３１】
ステータス情報管理部１０１１ｂは、直流電源１０２ａ、直流電源１０３ａ、直流電源１０２ｂ、直流電源１０３ｂのそれぞれがオン状態であるかオフ状態であるかを示すＤＣステータス情報を管理する。
具体的には、ステータス情報管理部１０１１ｂは、直流電源１０２ｂが所定のしきい値以上の電圧を出力しているか否かを判定する。ステータス情報管理部１０１１ｂは、直流電源１０２ｂが所定のしきい値以上の電圧を出力していると判定した場合、オン状態であることを示すＤＣステータス情報を記憶部１０１４ｂに書き込む。また、ステータス情報管理部１０１１ｂは、直流電源１０２ｂが所定のしきい値以上の電圧を出力していないと判定した場合、オフ状態であることを示すＤＣステータス情報を記憶部１０１４ｂに書き込む。同様に、ステータス情報管理部１０１１ｂは、直流電源１０３ｂが所定のしきい値以上の電圧を出力しているか否かを判定する。ステータス情報管理部１０１１ｂは、直流電源１０３ｂが所定のしきい値以上の電圧を出力していると判定した場合、オン状態であることを示すＤＣステータス情報を記憶部１０１４ｂに書き込む。また、ステータス情報管理部１０１１ｂは、直流電源１０３ｂが所定のしきい値以上の電圧を出力していないと判定した場合、オフ状態であることを示すＤＣステータス情報を記憶部１０１４ｂに書き込む。また、ステータス情報管理部１０１１ｂは、ステータス情報管理部１０１１ａから直流電源１０２ａ、直流電源１０３ａのそれぞれのＤＣステータス情報を取得する。ステータス情報管理部１０１１ｂは、取得した直流電源１０２ａ、直流電源１０３ａのそれぞれのＤＣステータス情報を記憶部１０１４ｂに書き込む。なお、ステータス情報管理部１０１１ｂは、所定の時間間隔でＤＣステータス情報を取得し、記憶部１０１４ｂに書き込む。
【００３２】
また、ステータス情報管理部１０１１ｂは、直流電源１０２ａ、直流電源１０３ａ、直流電源１０２ｂ、直流電源１０３ｂのそれぞれに電力が供給されている供給状態であるか電力が供給されていない未供給状態であるかを示すＡＣステータス情報を管理する。
具体的には、ステータス情報管理部１０１１ｂは、直流電源１０２ｂの電力を受ける端子において所定のしきい値以上の電力を検出しているか否かを判定する。ステータス情報管理部１０１１ｂは、直流電源１０２ｂの電力を受ける端子において所定のしきい値以上の電力を検出していると判定した場合、供給状態であることを示すＡＣステータス情報を記憶部１０１４ｂに書き込む。また、ステータス情報管理部１０１１ｂは、直流電源１０２ｂの電力を受ける端子において所定のしきい値未満の電力を検出していると判定した場合、未供給状態であることを示すＡＣステータス情報を記憶部１０１４ｂに書き込む。同様に、ステータス情報管理部１０１１ｂは、直流電源１０３ｂの電力を受ける端子において所定のしきい値以上の電力を検出していると判定した場合、供給状態であることを示すＡＣステータス情報を記憶部１０１４ｂに書き込む。また、ステータス情報管理部１０１１ｂは、直流電源１０３ｂの電力を受ける端子において所定のしきい値未満の電力を検出していると判定した場合、未供給状態であることを示すＡＣステータス情報を記憶部１０１４ｂに書き込む。また、ステータス情報管理部１０１１ｂは、ステータス情報管理部１０１１ａから直流電源１０２ａ、直流電源１０３ａのそれぞれのＡＣステータス情報を取得する。ステータス情報管理部１０１１ｂは、取得した直流電源１０２ａ、直流電源１０３ａのそれぞれのＡＣステータス情報を記憶部１０１４ａに書き込む。なお、ステータス情報管理部１０１１ｂは、所定の時間間隔でＡＣステータス情報を取得し、記憶部１０１４ｂに書き込む。
【００３３】
電源制御部１０１２ｂは、商用電源４０が停止した後、商用電源４０が復電した場合、データ制御装置１０ｂに設けられ商用電源４０から電力が供給される直流電源１０２ｂへの電力の供給状況を取得する。電源制御部１０１２ｂは、商用電源４０が停止した後、商用電源４０が復電した場合、データ制御装置１０ｂに設けられ第１ＵＰＳ３０ａから電力が供給される直流電源１０３ｂ（第４直流電源）への電力の供給状況を取得する。電源制御部１０１２ｂは、商用電源４０が停止した後、商用電源４０が復電した場合、連携先のデータ制御装置１０ａに設けられ商用電源４０から電力が供給される直流電源１０２ａへの電力の供給状況を電源制御部１０１２ａから取得する。電源制御部１０１２ｂは、商用電源４０が停止した後、商用電源４０が復電した場合、連携先のデータ制御装置１０ａに設けられ第１ＵＰＳ３０ａから電力が供給される直流電源１０３ａへの電力の供給状況を電源制御部１０１２ｂから取得する。
電源制御部１０１２ｂは、取得した直流電源１０２ａ、直流電源１０３ａ、直流電源１０２ｂ、直流電源１０３ｂのそれぞれへの電力の供給状況に基づいて、直流電源１０２ｂをオン状態またはオフ状態にし、直流電源１０３ｂをオン状態またはオフ状態にする。
具体的には、電源制御部１０１２ｂは、所定の時間間隔で記憶部１０１４ｂから直流電源１０２ａ、直流電源１０３ａ、直流電源１０２ｂ、直流電源１０３ｂのそれぞれについてのＤＣステータス情報を読み出す。電源制御部１０１２ｂは、読み出した直流電源１０２ａ、直流電源１０３ａ、直流電源１０２ｂ、直流電源１０３ｂのそれぞれについてのＤＣステータス情報に基づいて、直流電源１０２ｂをオン状態またはオフ状態にし、直流電源１０３ｂをオン状態またはオフ状態にする。
【００３４】
通信部１０１３ｂは、データ制御装置１０ａと通信を行う。
記憶部１０１４ｂは、第２電源制御装置１０１ｂが行う処理に必要な種々の情報を記憶する。
【００３５】
ディスクアレイ装置２０は、直流電源２０１と、直流電源２０２と、コントローラ２０３と、コントローラ２０４と、を備える。
ディスクアレイ装置２０は、複数のハードディスクドライブが接続されたＲＡＩＤ（Ｒｅｄｕｎｄａｎｔ  Ａｒｒａｙ  ｏｆ  Ｉｎｅｘｐｅｎｓｉｖｅ  Ｄｉｓｋｓ）方式の記憶装置であってよい。
【００３６】
直流電源２０１は、商用電源４０が出力する交流電圧を受け、後述するコントローラ２０３、コントローラ２０４のそれぞれに直流電圧を供給する。
【００３７】
直流電源２０２は、第２ＵＰＳ３０ｂが出力する交流電圧を受け、コントローラ２０３、コントローラ２０４のそれぞれに直流電圧を供給する。
なお、直流電源２０１と直流電源２０２は、冗長の電源を構成している。
【００３８】
コントローラ２０３、コントローラ２０４のそれぞれは、コントローラ１０４ａ及びコントローラ１０４ｂの少なくとも一方による指令に基づいて、ディスクアレイ装置２０におけるデータの記憶を制御する。
なお、コントローラ２０３とコントローラ２０４は、冗長のコントローラを構成している。
【００３９】
次に、データ制御装置１０ａとデータ制御装置１０ｂにおける直流電源の遮断及び起動について説明する。
【００４０】
まず、データ制御装置１０ａとデータ制御装置１０ｂにおける直流電源の遮断について説明する。
なお、第１ＵＰＳ３０ａは、直流電源１０３ａ、１０３ｂのそれぞれに電力を供給しているものとする。第２ＵＰＳ３０ｂは、直流電源２０２に電力を供給しているものとする。また、商用電源４０は、直流電源１０２ａ、直流電源１０２ｂ、直流電源２０１のそれぞれに電力を供給しているものとする。この場合、記憶部１０１４ａが記憶する直流電源１０２ａ、直流電源１０３ａ、直流電源１０２ｂ、直流電源１０３ｂのそれぞれのＤＣステータス情報は、オン状態を示す。
【００４１】
ステータス情報管理部１０１１ａは、所定の時間間隔毎に、通信部１０１３ａとＬＡＮケーブルを介して、データ制御装置１０ｂから直流電源１０２ｂ、直流電源１０３ｂそれぞれのＤＣステータス情報を取得している。
ここで商用電源４０において、停電または瞬間的な電力供給の遮断が発生したとする。
【００４２】
ステータス情報管理部１０１１ａは、直流電源１０２ａが所定のしきい値未満の電圧を出力するため、記憶部１０１４ａが記憶する直流電源１０２ａのＤＣステータス情報をオン状態からオフ状態に書き替える。
ステータス情報管理部１０１１ａは、オフ状態を示す直流電源１０２ａのＤＣステータス情報をステータス情報管理部１０１１ｂに送信する。
【００４３】
また、ステータス情報管理部１０１１ｂは、直流電源１０２ｂが所定のしきい値未満の電圧を出力するため、記憶部１０１４ｂが記憶する直流電源１０２ｂのＤＣステータス情報をオン状態からオフ状態に書き替える。ステータス情報管理部１０１１ｂは、オフ状態を示す直流電源１０２ｂのＤＣステータス情報をステータス情報管理部１０１１ａに送信する。
【００４４】
ステータス情報管理部１０１１ａは、ステータス情報管理部１０１１ｂから直流電源１０２ｂのＤＣステータス情報を取得する。
ステータス情報管理部１０１１ａは、記憶部１０１４ａが記憶する直流電源１０２ｂのＤＣステータス情報をオン状態からオフ状態に書き替える。
【００４５】
ステータス情報管理部１０１１ｂは、ステータス情報管理部１０１１ａから直流電源１０２ａのＤＣステータス情報を取得する。
ステータス情報管理部１０１１ｂは、記憶部１０１４ｂが記憶する直流電源１０２ａのＤＣステータス情報をオン状態からオフ状態に書き替える。
【００４６】
ここからは、図５に示す第１電源制御装置１０１ａの第１処理フローを用いて第１電源制御装置１０１ａの処理について説明する。
【００４７】
電源制御部１０１２ａは、商用電源４０に停電または瞬間的な電力供給の遮断が発生したか否かを判定する（ステップＳ１）。
具体的には、電源制御部１０１２ａは、記憶部１０１４ａから直流電源１０２ａ、直流電源１０３ａ、直流電源１０２ｂ、直流電源１０３ｂのそれぞれについてのＤＣステータス情報を読み出す。なお、電源制御部１０１２ａは、所定の時間間隔でＤＣステータス情報を読み出す。
電源制御部１０１２ａは、読み出した直流電源１０２ａと直流電源１０２ｂが共にオフ状態を示すＤＣステータス情報であるか否かを判定する。
【００４８】
電源制御部１０１２ａは、読み出した直流電源１０２ａと直流電源１０２ｂが共にオフ状態を示すＤＣステータス情報であると判定した場合、商用電源４０に停電または瞬間的な電力供給の遮断が発生したと判定する。
また、電源制御部１０１２ａは、読み出した直流電源１０２ａ及び直流電源１０２ｂの少なくとも一方がオン状態を示すＤＣステータス情報であると判定した場合、商用電源４０に停電または瞬間的な電力供給の遮断が発生していないと判定する。
【００４９】
電源制御部１０１２ａは、商用電源４０に停電または瞬間的な電力供給の遮断が発生していないと判定した場合（ステップＳ１においてＮＯ）、ステップＳ１の処理に戻す。
【００５０】
また、電源制御部１０１２ａは、商用電源４０に停電または瞬間的な電力供給の遮断が発生したと判定した場合（ステップＳ１においてＹＥＳ）、所定の時間が経過したか否かを判定する（ステップＳ２）。
【００５１】
電源制御部１０１２ａは、所定の時間が経過していないと判定した場合（ステップＳ２においてＮＯ）、ステップＳ２の処理に戻す。
【００５２】
また、電源制御部１０１２ａは、所定の時間が経過したと判定した場合（ステップＳ２においてＹＥＳ）、データ制御装置１０ａをシャットダウンさせる処理を開始する（ステップＳ３）。
【００５３】
電源制御部１０１２ａは、商用電源４０が復電したか否かを判定する（ステップＳ４）。
具体的には、電源制御部１０１２ａは、ステップＳ３の処理を行うと、所定の短い時間間隔で記憶部１０１４ａから直流電源１０２ａのＤＣステータス情報を読み出す。
電源制御部１０１２ａは、読み出した直流電源１０２ａのＤＣステータス情報がオン状態を示すか否かを判定する。
【００５４】
電源制御部１０１２ａは、読み出した直流電源１０２ａのＤＣステータス情報がオン状態を示すと判定した場合、商用電源４０が復電したと判定する。
また、電源制御部１０１２ａは、読み出した直流電源１０２ａのＤＣステータス情報がオフ状態を示すと判定した場合、商用電源４０が復電していないと判定する。
【００５５】
電源制御部１０１２ａは、商用電源４０が復電していないと判定した場合（ステップＳ４においてＮＯ）、データ制御装置１０ａをシャットダウンさせる処理を継続する。
【００５６】
電源制御部１０１２ａは、データ制御装置１０ａをシャットダウンさせる処理が完了したか否かを判定する（ステップＳ５）。
具体的には、例えば、電源制御部１０１２ａは、直流電源１０６ａが所定のしきい値以下の電圧を出力したと判定した場合、直流電源１０３ａをオフ状態にする処理が完了したと判定する。
また、電源制御部１０１２ａは、直流電源１０６ａが所定のしきい値を超える電圧を出力したと判定した場合、データ制御装置１０ａをシャットダウンさせる処理が完了していないと判定する。
【００５７】
電源制御部１０１２ａは、データ制御装置１０ａをシャットダウンさせる処理が完了していないと判定した場合（ステップＳ５においてＮＯ）、ステップＳ４の処理に戻す。
【００５８】
また、電源制御部１０１２ａは、データ制御装置１０ａをシャットダウンさせる処理が完了したと判定した場合（ステップＳ５においてＹＥＳ）、一連の処理を終了する。
電源制御部１０１２ａがデータ制御装置１０ａをシャットダウンさせる処理が完了したと判定して一連の処理を終了した場合、直流電源１０２ａ、直流電源１０３ａが共に動作しなくなり、コントローラ１０４ａは、動作を停止する。また、電源制御部１０１２ｂも電源制御部１０１２ａと同様の処理を行う。そのため、データ制御装置１０ａとディスクアレイ装置２０との間のＦＣケーブルを介した通信にリンクダウンが発生する。データ制御装置１０ａとディスクアレイ装置２０との間通信にリンクダウンが発生すると、例えば、コントローラ２０３がディスクアレイ装置２０をシャットダウンさせる処理を開始する。ディスクアレイ装置２０のシャットダウンが完了すると、情報処理システム１がシャットダウンする処理が完了する。
【００５９】
また、電源制御部１０１２ａは、商用電源４０が復電したと判定した場合（ステップＳ４においてＹＥＳ）、データ制御装置１０ａをシャットダウンさせる処理を中断させて（ステップＳ６）、一連の処理を終了する。
電源制御部１０１２ａがデータ制御装置１０ａをシャットダウンさせる処理を中断させて一連の処理を終了した場合、情報処理システム１は、通常の処理を行う。
【００６０】
次に、データ制御装置１０ａとデータ制御装置１０ｂにおける直流電源の起動について説明する。
ここでは、商用電源４０が復電した場合の直流電源の起動について説明する。
【００６１】
商用電源４０が復電した場合、直流電源１０２ａ、直流電源１０２ｂ、直流電源２０１のそれぞれは、商用電源４０から電力が供給される。また、直流電源１０３ａ、直流電源１０３ｂのそれぞれは、第１ＵＰＳ３０ａから電力が供給される。また、直流電源２０２は、第２ＵＰＳ３０ｂから電力が供給される。
また、商用電源４０が復電した場合、第１電源制御装置１０１ａ、第２電源制御装置１０１ｂのそれぞれは、第１ＵＰＳ３０ａ及び商用電源４０から電力が供給され、起動する。
第１電源制御装置１０１ａが起動すると、ステータス情報管理部１０１１ａは、記憶部１０１４ａが記憶するＡＣステータス情報を所定の時間間隔で更新する。
第２電源制御装置１０１ｂが起動すると、ステータス情報管理部１０１１ｂは、記憶部１０１４ｂが記憶するＡＣステータス情報を所定の時間間隔で更新する。
【００６２】
ここからは、図６に示す第１電源制御装置１０１ａの第２処理フローを用いて第１電源制御装置１０１ａの処理について説明する。
【００６３】
電源制御部１０１２ａは、記憶部１０１４ａから直流電源１０２ａ、直流電源１０３ａ、直流電源１０２ｂ、直流電源１０３ｂのそれぞれについてのＡＣステータス情報を読み出す。
電源制御部１０１２ａは、読み出したＡＣステータス情報のうち供給状態を示すＡＣステータス情報の数が１つ、２つ、３つ、４つの何れであるかを特定する（ステップＳ１１）。
【００６４】
電源制御部１０１２ａは、供給状態を示すＡＣステータス情報の数が１つであると特定した場合（ステップＳ１１において“１”）、直流電源１０２ａと直流電源１０３ａの両方をオフ状態とする制御を行う（ステップＳ１２）。電源制御部１０１２ａは、一連の処理を完了する。
【００６５】
電源制御部１０１２ａは、供給状態を示すＡＣステータス情報の数が２つまたは３つであると特定した場合（ステップＳ１１において“２”、“３”）、直流電源１０２ａと直流電源１０３ａの両方のＡＣステータス情報が供給状態であるか否かを判定する（ステップＳ１３）。
【００６６】
電源制御部１０１２ａは、直流電源１０２ａと直流電源１０３ａの両方のＡＣステータス情報が供給状態であると判定した場合（ステップＳ１３においてＹＥＳ）、直流電源１０２ａと直流電源１０３ａの両方をオン状態にする制御を行う（ステップＳ１４）。電源制御部１０１２ａは、一連の処理を完了する。
【００６７】
また、電源制御部１０１２ａは、直流電源１０２ａ及び直流電源１０３ａの少なくとも一方のＡＣステータス情報が未供給状態であると判定した場合（ステップＳ１３においてＮＯ）、直流電源１０３ａと直流電源１０３ｂの両方のＡＣステータス情報が供給状態であるか否かを判定する（ステップＳ１５）。
【００６８】
電源制御部１０１２ａは、直流電源１０３ａと直流電源１０３ｂの両方のＡＣステータス情報が供給状態であると判定した場合（ステップＳ１５においてＹＥＳ）、直流電源１０３ａをオン状態にする制御を行う（ステップＳ１６）。電源制御部１０１２ａは、一連の処理を完了する。
【００６９】
また、電源制御部１０１２ａは、直流電源１０３ａ及び直流電源１０３ｂの少なくとも一方のＡＣステータス情報が未供給状態であると判定した場合（ステップＳ１５においてＮＯ）、ステップＳ１２の処理に進める。
【００７０】
電源制御部１０１２ａは、供給状態を示すＡＣステータス情報の数が４つであると特定した場合（ステップＳ１１において“４”）、ステップＳ１４の処理に進める。
【００７１】
なお、第２電源制御装置１０１ｂは、第１電源制御装置１０１ａと同様に、処理を行う。
【００７２】
以上、本発明の第二の実施形態による情報処理システム１について説明した。
本発明の第二の実施形態による情報処理システム１は、データ制御装置１０ｂと相互に連携して情報処理を行うデータ制御装置１０ａが備える第１電源制御装置１０１ａを備える。第１電源制御装置１０１ａは、電源制御部１０１２ａを備える。電源制御部１０１２ａは、商用電源４０が停止した後、商用電源４０が復電した場合、第１電源制御装置１０１ａを備えるデータ制御装置１０ａに設けられ商用電源４０から電力が供給される直流電源１０２ａへの電力の供給状況と、第１電源制御装置１０１ａを備えるデータ制御装置１０ａに設けられ第１ＵＰＳ３０ａから電力が供給される直流電源１０３ａへの電力の供給状況と、連携先のデータ制御装置１０ｂに設けられ商用電源４０から電力が供給される直流電源１０２ｂへの電力の供給状況と、データ制御装置１０ｂに設けられ第２ＵＰＳ３０ｂから電力が供給される直流電源１０３ｂへの電力の供給状況と、に基づいて、直流電源１０２ａをオン状態またはオフ状態にし、直流電源１０３ａをオン状態またはオフ状態にする。
このようにすれば、第１電源制御装置１０１ａは、データ制御装置１０ｂと相互に連携して情報処理を行うデータ制御装置１０ａにおいて、直流電源１０２ａ及び直流電源１０３ａの両方に交流電圧が供給されている場合、すなわち、直流電源１０２ａまたは直流電源１０３ａのどちらかが動作を停止した場合であってもデータ制御装置１０ａがディスクアレイ装置２０を制御できる場合に、コントローラ１０４ａに電力を供給する。また、第１電源制御装置１０１ａは、データ制御装置１０ｂと相互に連携して情報処理を行うデータ制御装置１０ａにおいて、直流電源１０３ａ及び直流電源１０３ｂの両方に交流電圧が供給されている場合、すなわち、停電などで商用電源４０が停止していても第１ＵＰＳ３０ａからの交流電圧の供給によりデータ制御装置１０ａ及びデータ制御装置１０ｂの両方が動作し、直流電源１０３ａまたは直流電源１０３ｂのとちらかが動作を停止した場合であってもデータ制御装置１０ａまたはデータ制御装置１０ｂのどちらかがディスクアレイ装置２０を制御できる場合に、コントローラ１０４ａに電力を供給する。したがって、第１電源制御装置１０１ａは、データ制御装置１０ｂと相互に連携して情報処理を行うデータ制御装置１０ａにおいて、情報処理の制御をより確実に実行することで安全な運用ができる。
【００７３】
なお、本発明の第二の実施形態において、電源制御部１０１２ａは、データ制御装置１０ａとデータ制御装置１０ｂのシャットダウン時における直流電源１０３ａ、直流電源１０３ｂのそれぞれのＡＣステータス情報に基づいて、直流電源１０２ａをオン状態またはオフ状態にし、直流電源１０３ａをオン状態またはオフ状態にしてもよい。
具体的には、ステータス情報管理部１０１１ａは、シャットダウン時における直流電源１０３ａ、直流電源１０３ｂのそれぞれのＡＣステータス情報が未供給状態である場合、直流電源１０３ａ、直流電源１０３ｂのそれぞれが機能していないと判断し、商用電源の復電時に実際の状況に関わらず未供給状態とする。電源制御部１０１２ａは、未供給状態である直流電源１０３ａをオフ状態に制御し、保守を促す報知を行う。
同様に、本発明の第二の実施形態において、電源制御部１０１２ｂは、データ制御装置１０ａとデータ制御装置１０ｂのシャットダウン時における直流電源１０３ａ、直流電源１０３ｂのそれぞれのＡＣステータス情報に基づいて、直流電源１０２ｂをオン状態またはオフ状態にし、直流電源１０３ｂをオン状態またはオフ状態にしてもよい。
具体的には、ステータス情報管理部１０１１ｂは、シャットダウン時における直流電源１０３ａ、直流電源１０３ｂのそれぞれのＡＣステータス情報が未供給状態である場合、直流電源１０３ａ、直流電源１０３ｂのそれぞれが機能していないと判断し、商用電源の復電時に実際の状況に関わらず未供給状態とする。電源制御部１０１２ｂは、未供給状態である直流電源１０３ｂをオフ状態に制御し、保守を促す報知を行う。
【００７４】
なお、本発明の第二の実施形態において、データ制御装置は、データ制御装置１０ａとデータ制御装置１０ｂの２つの場合を例に説明したが、データ制御装置は、２つの場合に限定しない。本発明の第二の実施形態において、データ制御装置は、３つ以上であってもよい。
【００７５】
なお、本発明の実施形態における処理フローは、適切な処理が行われる範囲において、処理の順番が入れ替わってもよい。
【００７６】
本発明の実施形態における記憶部１０１４ａ、記憶部１０１４ｂ、その他の記憶部のそれぞれは、適切な情報の送受信が行われる範囲においてどこに備えられていてもよい。また、記憶部１０１４ａ、記憶部１０１４ｂ、その他の記憶部その他の記憶部のそれぞれは、適切な情報の送受信が行われる範囲において複数存在しデータを分散して記憶していてもよい。
【００７７】
本発明の実施形態について説明したが、上述のデータ制御装置１０ａ、データ制御装置１０ｂ、ディスクアレイ装置２０のそれぞれは内部に、コンピュータシステムを有していてもよい。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータがそのプログラムを実行するようにしてもよい。
【００７８】
また、上記プログラムは、前述した機能の一部を実現してもよい。さらに、上記プログラムは、前述した機能をコンピュータシステムにすでに記録されているプログラムとの組み合わせで実現できるファイル、いわゆる差分ファイル（差分プログラム）であってもよい。
【００７９】
本発明のいくつかの実施形態を説明したが、これらの実施形態は、例であり、発明の範囲を限定しない。これらの実施形態は、発明の要旨を逸脱しない範囲で、追加、種々の省略、置き換え、変更を行ってよい。
【００８０】
上記の実施形態の一部又は全部は、以下の付記のようにも記載されうるが、以下には限られない。
【００８１】
（付記１）
他のデータ制御装置と相互に連携して情報処理を行うデータ制御装置が備える電源制御装置であって、
商用電源が停止した後、前記商用電源が復電した場合、自電源制御装置を備えるデータ制御装置に設けられ前記商用電源から電力が供給される第１直流電源への電力の供給状態と、自電源制御装置を備えるデータ制御装置に設けられ無停電電源装置から電力が供給される第２直流電源への電力の供給状態と、前記連携先のデータ制御装置に設けられ前記商用電源から電力が供給される第３直流電源への電力の供給状態と、前記連携先のデータ制御装置に設けられ前記無停電電源装置から電力が供給される第４直流電源への電力の供給状態と、に基づいて、前記第１直流電源をオン状態またはオフ状態にし、第２直流電源をオン状態またはオフ状態にする電源制御部、
を備える電源制御装置。
【００８２】
（付記２）
前記第１直流電源への電力の供給状態と、前記第２直流電源への電力の供給状態と、前記第３直流電源への電力の供給状態と、前記第４直流電源への電力の供給状態と、を示すＡＣステータス情報を記憶する記憶部、
を備え、
前記電源制御部は、
前記記憶部が記憶する前記ＡＣステータス情報に基づいて、前記第１直流電源をオン状態またはオフ状態にし、第２直流電源をオン状態またはオフ状態にする、
付記１に記載の電源制御装置。
【００８３】
（付記３）
前記記憶部が記憶する前記ＡＣステータス情報を書き替えるステータス情報管理部、
を備える付記２に記載の電源制御装置。
【００８４】
（付記４）
電源制御部は、
前記第１直流電源への電力の供給状態と、前記第２直流電源への電力の供給状態と、前記第３直流電源への電力の供給状態と、前記第４直流電源への電力の供給状態の４つの電力の供給状態のうち２つまたは３つが電力を供給していることを示し、かつ、前記第２直流電源への電力の供給状態と前記第３直流電源への電力の供給状態とが電力を供給していることを示し、かつ、前記第１直流電源への電力の供給状態が電力を供給していないことを示す場合、前記第１直流電源をオフ状態にし、前記第２直流電源をオン状態にする、
付記１から付記３の何れか一に記載の電源制御装置。
【００８５】
（付記５）
電源制御部は、
前記第１直流電源への電力の供給状態と、前記第２直流電源への電力の供給状態と、前記第３直流電源への電力の供給状態と、前記第４直流電源への電力の供給状態の４つの電力の供給状態のうち１つのみが電力を供給していることを示す場合、前記第１直流電源をオフ状態にし、前記第２直流電源をオフ状態にする、
付記１から付記４の何れか一に記載の電源制御装置。
【００８６】
（付記６）
電源制御部は、
前記第１直流電源への電力の供給状態と、前記第２直流電源への電力の供給状態と、前記第３直流電源への電力の供給状態と、前記第４直流電源への電力の供給状態の４つの電力の供給状態のうち２つまたは３つが電力を供給していることを示し、かつ、前記第１直流電源への電力の供給状態と前記第２直流電源への電力の供給状態とが電力を供給していることを示す場合、前記第１直流電源をオン状態にし、前記第２直流電源をオン状態にする、
付記１から付記５の何れか一に記載の電源制御装置。
【００８７】
（付記７）
電源制御部は、
前記第１直流電源への電力の供給状態と、前記第２直流電源への電力の供給状態と、前記第３直流電源への電力の供給状態と、前記第４直流電源への電力の供給状態の４つの電力の供給状態のすべてが電力を供給していることを示す場合、前記第１直流電源をオン状態にし、前記第２直流電源をオン状態にする、
付記１から付記６の何れか一項に記載の電源制御装置。
【００８８】
（付記８）
付記１から付記７の何れかの電源制御装置と、
商用電源から電力が供給される第１直流電源と、
無停電電源装置から電力が供給される第２直流電源と、
を備えるデータ制御装置。
【００８９】
（付記９）
付記１から付記７の何れかの電源制御装置、商用電源から電力が供給される第１直流電源、無停電電源装置から電力が供給される第２直流電源、を備える第１データ制御装置と、
前記第１データ制御装置と相互に連携して情報処理を行う第２データ制御装置と、
を備える情報処理システム。
【００９０】
（付記１０）
前記第１データ制御装置及び前記第２データ制御装置と通信を行い、通信が遮断された場合にシャットダウンするディスクアレイ装置、
を備える付記９に記載の情報処理システム。
【００９１】
（付記１１）
他のデータ制御装置と相互に連携して情報処理を行うデータ制御装置が備える電源制御装置の電源制御方法であって、
商用電源が停止した後、前記商用電源が復電した場合、自電源制御装置を備えるデータ制御装置に設けられ前記商用電源から電力が供給される第１直流電源への電力の供給状態と、自電源制御装置を備えるデータ制御装置に設けられ無停電電源装置から電力が供給される第２直流電源への電力の供給状態と、前記連携先のデータ制御装置に設けられ前記商用電源から電力が供給される第３直流電源への電力の供給状態と、前記連携先のデータ制御装置に設けられ前記無停電電源装置から電力が供給される第４直流電源への電力の供給状態と、に基づいて、前記第１直流電源をオン状態またはオフ状態にし、第２直流電源をオン状態またはオフ状態にすること、
を含む電源制御装置の電源制御方法。
【００９２】
（付記１２）
他のデータ制御装置と相互に連携して情報処理を行うデータ制御装置が備える電源制御装置のコンピュータに、
商用電源が停止した後、前記商用電源が復電した場合、自電源制御装置を備えるデータ制御装置に設けられ前記商用電源から電力が供給される第１直流電源への電力の供給状態と、自電源制御装置を備えるデータ制御装置に設けられ無停電電源装置から電力が供給される第２直流電源への電力の供給状態と、前記連携先のデータ制御装置に設けられ前記商用電源から電力が供給される第３直流電源への電力の供給状態と、前記連携先のデータ制御装置に設けられ前記無停電電源装置から電力が供給される第４直流電源への電力の供給状態と、に基づいて、前記第１直流電源をオン状態またはオフ状態にし、第２直流電源をオン状態またはオフ状態にすること、
を実行させるプログラム。
【符号の説明】
【００９３】
１・・・情報処理システム
１０ａ、１０ｂ・・・データ制御装置
２０・・・ディスクアレイ装置
３０ａ・・・第１ＵＰＳ（Ｕｎｉｎｔｅｒｒｕｐｔｉｂｌｅ  Ｐｏｗｅｒ  Ｓｕｐｐｌｙ）
３０ｂ・・・第２ＵＰＳ
４０・・・商用電源
１０１ａ・・・第１電源制御装置
１０１ｂ・・・第２電源制御装置
１０２ａ、１０２ｂ、１０３ａ、１０３ｂ、１０５ａ、１０５ｂ、１０６ａ、１０６ｂ、２０１、２０２・・・直流電源
１０４ａ、１０４ｂ、２０３、２０４・・・コントローラ
１０１１ａ、１０１１ｂ・・・ステータス情報管理部
１０１２ａ、１０１２ｂ・・・電源制御部
１０１３ａ、１０１３ｂ・・・通信部
１０１４ａ、１０１４ｂ・・・記憶部
【図１】
0006620619.tif 000002
【図２】
0006620619.tif 000003
【図３】
0006620619.tif 000004
【図４】
0006620619.tif 000005
【図５】
0006620619.tif 000006
【図６】
0006620619.tif 000007